(57)【特許請求の範囲】
【請求項１】
エレベーターに設けられた複数の機器と、電力を蓄えると共に前記複数の機器に電力を供給する蓄電装置と、この蓄電装置によって供給される電力を制御する制御部とを備えたエレベーターの蓄電制御装置において、
前記複数の機器は、停電が発生したときに前記エレベーターを運転して乗かごを最寄階に着床させる停電時自動着床装置を含み、
前記制御部は、
前記複数の機器のうち前記停電時自動着床装置以外の機器の各々に対して、停電が発生した場合に前記蓄電装置から供給される電力によって動作する稼働時間を計測し、計測された前記稼働時間が予め設定された所定の動作時間に達したか否かを判断するタイマー回路と、
前記複数の機器のうち前記タイマー回路によって前記稼働時間が前記所定の動作時間に達したと判断された前記機器に対して前記蓄電装置から供給される電力を遮断すると共に、前記停電時自動着床装置によって前記乗かごの着床動作が終了した後、前記停電時自動着床装置に対して前記蓄電装置から供給される電力を遮断する電源遮断回路とを有することを特徴とするエレベーターの蓄電制御装置。
【請求項２】
請求項１に記載のエレベーターの蓄電制御装置において、
前記蓄電装置へ電力を供給する買電電源と、
この買電電源から供給された電力によって前記蓄電装置を充電する充電装置とを備えたことを特徴とするエレベーターの蓄電制御装置。
【請求項３】
請求項１又は２に記載のエレベーターの蓄電制御装置において、
前記電源遮断回路は、前記複数の機器のうち前記タイマー回路によって前記稼働時間が前記所定の動作時間に達したと判断された前記機器が動作を継続する必要があるか否かを判断する動作継続判断手段と、
この動作継続判断手段によって動作を継続する必要があると判断された前記機器に対して前記蓄電装置から供給される電力の遮断を保留し、前記動作継続判断手段によって動作を継続する必要がないと判断された前記機器に対して前記蓄電装置から供給される電力を遮断する保留遮断手段とを含むことを特徴とするエレベーターの蓄電制御装置。
【発明の詳細な説明】
【技術分野】
【０００１】
本発明は、停電が発生した場合にエレベーターに設けられた複数の機器をバッテリー等の蓄電装置によって動作させるエレベーターの蓄電制御装置に関する。
【背景技術】
【０００２】
一般的に、エレベーターは、昇降路内を昇降して乗客を上下の階床へ運ぶ乗かごと、主ロープを介して乗かごと相対的に昇降する釣合い錘と、昇降路の頂部に設けられた機械室内に設置され、主ロープが巻き掛けられて乗かごに駆動力を伝動する巻上機とを備えており、この巻上機が回転することによって乗かごが釣合い錘と相対的に昇降し、乗客を目的階へ運ぶようになっている。
【０００３】
また、エレベーターは昇降路や乗かご等に設けられた複数の機器を備えている。これらの複数の機器は、例えば乗かご内に設置され、乗かご内と外部との通話を行うインターホンや乗かご内又は乗場に設けられ、停電時に点灯する停電灯等があり、商用電源を含む買電電源等から供給される電力によって稼働するようになっている。
【０００４】
そのため、エレベーターに停電が発生した場合には、買電電源等から電力が供給されなくなるので、複数の機器の動作が停止し、電力が復旧するまでこれらの機器が使用できなくなる。そこで、停電が発生した場合でもエレベーターにおける複数の機器を稼働させるために、エレベーターには、電力を蓄えると共に複数の機器に電力を供給する蓄電装置を備え、この蓄電装置によって複数の機器へ電力を供給してこれらの機器を稼働させるエレベーターの蓄電制御装置が設けられている。
【０００５】
このようなエレベーターの蓄電制御装置の従来技術の１つとして、商用電源、すなわち買電電源の交流をコンバータで直流に変換し、さらにインバータで可変電圧可変周波数の交流に変換して乗かごを昇降させるエレベーター装置に、制御装置を付勢する電源の電圧が第１の所定値以下に低下したときに乗かごを停止させる停電復電検出器と、コンバータとインバータの間の直流母線に接続されて電力の授受を行う電力蓄積装置と、買電電源の電圧が正常時の値よりも低く第１の所定値よりも高い第２の所定値以下に低下したときに作動する電源監視器とを設け、電源監視器が作動すると、電力蓄積装置からの電力で制御装置と停電復電検出器を付勢して運転を継続し、停電復電検出器の検出値が第１の所定値以下に低下すると運転を休止させるようにしたエレベーター装置が知られている（例えば、特許文献１参照）。
【先行技術文献】
【特許文献】
【０００６】
【特許文献１】特開２００５−１３２５０１号公報
【発明の概要】
【発明が解決しようとする課題】
【０００７】
しかし、上述した特許文献１に開示された従来技術のエレベーター装置では、停電時運転によって電力蓄積装置が過放電することがないようにしているが、一般的に電力蓄積装置を含む蓄電装置は、エレベーターに設けられた複数の機器を十分に動作させる容量に予め設定されていても、設置環境や使用年数によって装置の性能が経年変化するので、蓄電装置の容量が予め設定された容量よりも低下し、蓄電装置に蓄えられる電力量が減少する。そのため、エレベーターに停電が発生した場合には、蓄電装置によって複数の機器を稼働させる必要があるので、蓄電装置に蓄えられる電力量が減少することによってこれらの複数の機器を十分に動作させることができない虞がある。
【０００８】
本発明は、このような従来技術の実情からなされたもので、その目的は、停電が発生した場合に複数の機器を十分に動作させることができるエレベーターの蓄電制御装置を提供することにある。
【課題を解決するための手段】
【０００９】
上記の目的を達成するために、本発明のエレベーターの蓄電制御装置は、エレベーターに設けられた複数の機器と、電力を蓄えると共に前記複数の機器に電力を供給する蓄電装置と、この蓄電装置によって供給される電力を制御する制御部とを備えたエレベーターの蓄電制御装置において、前記複数の機器は、停電が発生したときに前記エレベーターを運転して乗かごを最寄階に着床させる停電時自動着床装置を含み、前記制御部は、前記複数の機器のうち前記停電時自動着床装置以外の機器の各々に対して、停電が発生した場合に前記蓄電装置から供給される電力によって動作する稼働時間を計測し、計測された前記稼働時間が予め設定された所定の動作時間に達したか否かを判断するタイマー回路と、前記複数の機器のうち前記タイマー回路によって前記稼働時間が前記所定の動作時間に達したと判断された前記機器に対して前記蓄電装置から供給される電力を遮断すると共に、前記停電時自動着床装置によって前記乗かごの着床動作が終了した後、前記停電時自動着床装置に対して前記蓄電装置から供給される電力を遮断する電源遮断回路とを有することを特徴としている。
【００１０】
このように構成した本発明は、停電が発生した場合には、蓄電装置が制御部を介してエレベーターに設けられた複数の機器へ電力を供給する。このとき、制御部のタイマー回路は、これらの複数の機器のうち停電時自動着床装置以外の機器の各々に対して、蓄電装置から供給される電力によって動作する稼働時間を計測し、計測された稼働時間が予め設定された所定の動作時間に達したか否かを判断する。そして、電源遮断回路が、複数の機器のうちタイマー回路によって稼働時間が所定の動作時間に達したと判断された機器に対して蓄電装置から供給される電力を遮断すると共に、停電時自動着床装置によって乗かごの着床動作が終了した後、停電時自動着床装置に対して蓄電装置から供給される電力を遮断することにより、複数の機器のうち所定の動作時間の間、稼働し続けた停電時自動着床装置以外の機器に対して電力が供給されなくなるので、蓄電装置に蓄えられた電力が必要以上に消費されることを抑えることができる。これにより、蓄電装置に蓄えられた電力を効率良く利用することができるので、停電が発生した場合に複数の機器を十分に動作させることができる。
【００１１】
また、本発明に係るエレベーターの蓄電制御装置は、前記発明において、前記蓄電装置へ電力を供給する買電電源と、この買電電源から供給された電力によって前記蓄電装置を充電する充電装置とを備えたことを特徴としている。このように構成すると、停電が発生した場合に、充電装置によって蓄電装置の容量に対して十分な電力量が充電されているので、複数の機器に多くの電力を迅速に供給することができる。これにより、各機器の稼働時間が所定の動作時間に達する前に、蓄電装置に蓄えられた電力が消費されて不足することを抑えることができる。また、停電からエレベーターが復旧した場合に、充電装置が蓄電装置を充電することにより、停電によって消費された蓄電装置の電力を早期に補充することができるので、再び停電が発生するまでに蓄電装置において十分な電力量を確保することができる。
【００１２】
また、本発明に係るエレベーターの蓄電制御装置は、前記発明において、前記電源遮断回路は、前記複数の機器のうち前記タイマー回路によって前記稼働時間が前記所定の動作時間に達したと判断された前記機器が動作を継続する必要があるか否かを判断する動作継続判断手段と、この動作継続判断手段によって動作を継続する必要があると判断された前記機器に対して前記蓄電装置から供給される電力の遮断を保留し、前記動作継続判断手段によって動作を継続する必要がないと判断された前記機器に対して前記蓄電装置から供給される電力を遮断する保留遮断手段とを含むことを特徴としている。
【００１３】
このように構成した本発明は、停電が発生した場合に蓄電装置から複数の機器へ電力が供給されてこれらの機器が稼働すると、電源遮断回路の動作継続判断手段は、複数の機器のうちタイマー回路によって稼働時間が所定の動作時間に達したと判断された機器が動作を継続する必要があるか否かを判断する。そして、電源遮断回路の保留遮断手段が、動作継続判断手段によって動作を継続する必要があると判断された機器に対して蓄電装置から供給される電力の遮断を保留することにより、例えば当該機器が重要な動作をしている場合には、当該機器の動作を停止させずに継続することができる。一方、動作継続判断手段によって動作を継続する必要がないと判断された機器に対して蓄電装置から供給される電力を遮断することにより、当該機器の動作の継続が必要ないことを確認した上で当該機器を停止することができる。このように、停電が発生した場合に、エレベーターに設けられた複数の機器における動作の継続の必要性に応じて各機器を適切に動作させることができる。
【発明の効果】
【００１４】
本発明のエレベーター蓄電制御装置は、エレベーターに設けられた複数の機器と、電力を蓄えると共に複数の機器に電力を供給する蓄電装置と、この蓄電装置によって供給される電力を制御する制御部とを備え、複数の機器は、停電が発生したときにエレベーターを運転して乗かごを最寄階に着床させる停電時自動着床装置を含んでいる。そして、制御部は、複数の機器のうち停電時自動着床装置以外の機器の各々に対して、停電が発生した場合に蓄電装置から供給される電力によって動作する稼働時間を計測し、計測された稼働時間が予め設定された所定の動作時間に達したか否かを判断するタイマー回路と、複数の機器のうちタイマー回路によって稼働時間が所定の動作時間に達したと判断された機器に対して蓄電装置から供給される電力を遮断すると共に、停電時自動着床装置によって乗かごの着床動作が終了した後、停電時自動着床装置に対して蓄電装置から供給される電力を遮断する電源遮断回路とを有している。そのため、停電が発生して蓄電装置から複数の機器へ電力が供給され、これらの各機器のうち停電時自動着床装置以外の機器が所定の動作時間の間、稼働し続けると、制御部のタイマー回路と電源遮断回路によって電力が供給されなくなるので、蓄電装置に蓄えられた電力が必要以上に消費されることを抑えることができる。これにより、蓄電装置に蓄えられた電力を効率良く利用することができるので、停電が発生した場合に複数の機器を十分に動作させることができ、従来よりも蓄電装置における信頼性を向上させることができる。
【図面の簡単な説明】
【００１５】
【図１】本発明に係るエレベーターの蓄電制御装置の一実施形態の構成を示す図である。
【図２】図１に示す本実施形態の動作を説明するフローチャートである。
【発明を実施するための形態】
【００１６】
以下、本発明に係るエレベーターの蓄電制御装置を実施するための形態を図に基づいて説明する。
【００１７】
本発明に係る蓄電制御装置の一実施形態が備えられるエレベーターは、図示されないが、昇降路と、この昇降路内を昇降して乗客を上下の階床へ運ぶ乗かごと、主ロープを介して乗かごと相対的に昇降する釣合い錘と、昇降路の頂部に設けられた機械室内に設置され、主ロープが巻き掛けられて乗かごに駆動力を伝動する巻上機とを有している。
【００１８】
そして、本発明に係るエレベーターの蓄電制御装置の一実施形態は、図１に示すように上述したエレベーターに設けられた後述の複数の機器と、電力を蓄えると共に複数の機器に電力を供給する蓄電装置１と、この蓄電装置１によって供給される電力を制御する制御部６とを備えている。蓄電装置１は、例えば一個のセル、あるいは直並列接続される複数のセルから成る一台の電力蓄積装置であり、この電力蓄積装置は、一台でエレベーターに設けられた複数の機器に電力を供給する統合型になっている。なお、蓄電装置１には例えばバッテリーやキャパシター等が適用される。
【００１９】
また、上述した複数の機器は、例えばエレベーターの動作状態を監視して異常を検知した場合に異常信号を外部へ送信すると共に、乗かご内と外部の図示しない管制局との間の通話接続を行うエレベーター監視装置３と、エレベーターが非常停止したときに乗かご内に乗客が閉じ込められる等の非常時において乗かご内から外部と通話を行うインターホン４と、停電が発生したときに点灯する停電灯５と、停電が発生したときにエレベーターを運転して乗かごを最寄階に着床させる停電時自動着床装置９とを含んでいる。
【００２０】
本実施形態は、制御部６は、これらのエレベーター監視装置３、インターホン４、及び停電灯５の各々に対して、停電が発生した場合に蓄電装置１から供給される電力によって動作する稼働時間を計測し、計測された稼働時間が予め設定された所定の動作時間に達したか否かを判断するタイマー回路７と、エレベーター監視装置３、インターホン４、及び停電灯５のうちタイマー回路７によって稼働時間が所定の動作時間に達したと判断された機器に対して蓄電装置１から供給される電力を遮断する電源遮断回路８とを有している。なお、停電時自動着床装置９は、電源遮断回路８に接続されているが、タイマー回路７に接続されておらず、タイマー回路７は、停電が発生した場合に後述するように停電時自動着床装置９に対して蓄電装置１から供給される電力によって動作する稼働時間を計測しないようになっている。
【００２１】
上述した制御部６は、具体的にはこれらのエレベーター監視装置３、インターホン４、停電灯５、及び停電時自動着床装置９と蓄電装置１との間にそれぞれ接続されており、停電が発生したときに蓄電装置１からエレベーター監視装置３、インターホン４、停電灯５、及び停電時自動着床装置９へ供給される電力を制御するようになっている。
【００２２】
また、本実施形態は、蓄電装置１へ電力を供給する買電電源と、この買電電源から供給された電力によって蓄電装置１を充電する充電装置、例えば買電電源に接続されて買電電源から供給された電力によって蓄電装置１を充電すると共に停電が発生した場合に蓄電装置１の電力を放電する充放電装置２とを備えている。この充放電装置２は、買電電源から供給される電力、例えば高電圧の交流電力を電力変換し、変換された電力、例えば低電圧の直流電力により蓄電装置１を充電するようになっている。
【００２３】
さらに、本実施形態は、買電電源と充放電装置２との間に接続され、停電が発生したことを検出する停電検出装置１０を備えている。この停電検出装置１０は、例えば買電電源の電流又は電圧を計測することによって買電電源の停電を検知するようになっている。また、充放電装置２は、停電検出装置１０が買電電源１の停電を検出した場合に蓄電装置１に蓄積された電力を電力変換し、例えば昇圧あるいは降圧し、又は直流から交流に変換し、変換された電力を、制御部６を介してエレベーター監視装置３、インターホン４、停電灯５、及び停電時自動着床装置９へ供給するようになっている。
【００２４】
上述した制御部６のタイマー回路７には、例えばこれらのエレベーター監視装置３、インターホン４、停電灯５、及び停電時自動着床装置９の各々に対して、蓄電装置１から供給される電力によって動作する上述した所定の動作時間が予め設定されている。また、電源遮断回路８は、エレベーター監視装置３、インターホン４、停電灯５、及び停電時自動着床装置９と蓄電装置１とをそれぞれ接続する図示しないスイッチ手段を備え、このスイッチ手段は、通常状態、すなわち停電が発生しておらず、買電電源から正常に電力が供給されている状態で各機器に対してオフ状態となっている。
【００２５】
従って、充放電装置２は、停電検出装置１０が買電電源の停電を検出した場合に蓄電装置１の充電動作から放電動作に切替えると共に、タイマー回路７がエレベーター監視装置３、インターホン４、停電灯５、及び停電時自動着床装置９の各々に対して、電源遮断回路８のスイッチ手段がオフ状態からオン状態に切替えるようになっている。このとき、タイマー回路７がエレベーター監視装置３、インターホン４、及び停電灯５に対して、蓄電装置１から供給された電力によって実際に動作した稼働時間の計測を開始するようになっている。
【００２６】
そして、タイマー回路７は、これらのエレベーター監視装置３、インターホン４、及び停電灯５の各々に対して計測した稼働時間が所定の動作時間に達したか否かを判断し、稼働時間が所定の動作時間に達したと判断した場合にエレベーター監視装置３、インターホン４、及び停電灯５のうち、稼働時間が所定の動作時間に達した機器に対して電力の供給を遮断する指令信号を電源遮断回路８へ出力するようになっている。
【００２７】
電源遮断回路８は、当該機器に対して電力の供給を遮断する指令信号をタイマー回路７から受信すると、エレベーター監視装置３、インターホン４、及び停電灯５のうち、受信した指令信号に対応する機器に対してスイッチ手段がオン状態からオフ状態となり、蓄電装置１から当該機器へ供給される電力を遮断するようになっている。
【００２８】
ここで、停電時自動着床装置９は、電源遮断回路８におけるスイッチ手段を介して電力が供給され、停電が発生した場合に蓄電装置１から供給された電力によって巻上機を駆動し、乗かごを最寄階へ着床させるようにしている。そのため、停電時自動着床装置９は、停電が発生した場合において停電灯５等の機器と比べて稼働時間が短いので、電源遮断回路８のスイッチ手段は、停電時自動着床装置９に対してタイマー回路７による時間的制限を設けることなく、停電検出装置１０が停電を検出したときにオン状態となり、乗かごの着床動作が終了した後、あるいは停電検出装置１０が買電電源の復旧を検出した後にオフ状態となる。
【００２９】
さらに本実施形態は、制御部６の電源遮断回路８は、例えばエレベーター監視装置３が動作を継続する必要があるか否かを判断する図示しない動作継続判断手段と、この動作継続判断手段によって動作を継続する必要があると判断されたエレベーター監視装置３に対して蓄電装置１から供給される電力の遮断を保留し、動作継続判断手段によって動作を継続する必要がないと判断されたエレベーター監視装置３に対して蓄電装置１から供給される電力を遮断する図示しない保留遮断手段とを含んでいる。
【００３０】
次に、本実施形態の動作を図２のフローチャートに基づいて説明する。
【００３１】
本実施形態では、図２に示すように充放電装置２は、通常状態のとき、すなわち停電が発生していないとき、買電電源の電力によって蓄電装置１を充電する（ステップ（以下、Ｓと記す）１０１）。ここで、停電検出装置１０は、買電電源の停電が発生したか否かを検出しており、買電電源の停電を検出しなかった場合には（Ｓ１０２）、充放電装置２は、蓄電装置１を充電し続ける。一方、停電検出装置１０が買電電源の停電を検出した場合には（Ｓ１０２）、充放電装置２は、蓄電装置１の充電動作から放電動作へ切替え、蓄電装置１から制御部６へ電力を供給する（Ｓ１０３）。
【００３２】
Ｓ１０３において蓄電装置１から制御部６へ電力が供給されると、電源遮断回路８のスイッチ手段がオフ状態からオン状態に切替り、制御部６を介してエレベーター監視装置３、インターホン４、及び停電灯５に電力が供給される。そして、タイマー回路７がエレベーター監視装置３、インターホン４、及び停電灯５の各々に対して、蓄電装置１から供給される電力によって動作する稼働時間を計測する（Ｓ１０４）。なお、本実施形態では、上述したように停電が発生した場合に停電時自動着床装置９も蓄電装置１の電力によって動作させるが、手順Ｓ１０３において蓄電装置１から制御部６へ電力が供給されると、タイマー回路７における上述した動作から独立してオフ状態からオン状態に切替える。これにより、停電時自動着床装置９は、タイマー回路７の動作に制限されることなく動作可能状態となる。
【００３３】
次に、制御部６は、蓄電装置１の充電状態に基づいて、あるいはエレベーターの保守員の操作による最寄階への乗かごの移動の要否を示すデータに基づいて、停電時自動着床装置９を蓄電装置１で実際に動作させるか否かを判断する（Ｓ１０５）。このとき、制御部６が、蓄電装置１の充電容量が十分であり、あるいは保守員の操作を必要とせず、停電時自動着床装置９を蓄電装置１から供給される電力によって動作させると判断した場合には、エレベーターの乗かごがドアゾーン内に位置するか否かを判断する（Ｓ１１１）。
【００３４】
手順Ｓ１１１において制御部６が、乗かごがドアゾーン内に位置すると判断した場合には、乗かごの最寄階への着床動作を実行しなくても良いので、制御部６における電源遮断回路８のスイッチ手段は停電時自動着床装置９に対してオン状態からオフ状態に切替え、蓄電装置１から停電時自動着床装置９へ供給される電力を遮断する（Ｓ１１２）。一方、手順Ｓ１１１において制御部６が、乗かごがドアゾーン外に位置すると判断した場合には、制御部６における電源遮断回路８のスイッチ手段は停電時自動着床装置９に対してオン状態を維持し、停電時自動着床装置９が乗かごに対する最寄階への自動着床運転を行う（Ｓ１１３）。そして、乗かごが最寄階へ着床すると、制御部６の電源遮断回路８が蓄電装置１から停電時自動着床装置９へ供給される電力を遮断する（Ｓ１１２）。
【００３５】
手順Ｓ１０５において制御部６が、蓄電装置１の充電容量が不十分であり、あるいは保守員の操作を必要とし、停電時自動着床装置９を蓄電装置１から供給される電力によって動作させないと判断した場合、及び手順Ｓ１１２において蓄電装置１から停電時自動着床装置９へ供給される電力が遮断された場合には、タイマー回路７は、計測した停電灯５の稼働時間が所定の動作時間、例えば３０分に達したか否かを判断する（Ｓ１０６）。
【００３６】
このとき、タイマー回路７が、停電灯５の稼働時間が３０分に達したと判断した場合には、停電灯５に対して蓄電装置１から供給される電力を遮断する指令信号を電源遮断回路８へ送信する。そして、電源遮断回路８はタイマー回路７から当該指令信号を受信すると、電源遮断回路８のスイッチ手段が停電灯５に対してオン状態からオフ状態へ切替え、停電灯５に対して蓄電装置１から供給される電力を遮断する（Ｓ１０７）。一方、手順Ｓ１０６においてタイマー回路７が、停電灯５の稼働時間が３０分に達していないと判断した場合には、手順Ｓ１０６の動作を繰り返し実行する。
【００３７】
同様に、図示されていないが、手順Ｓ１０６においてタイマー回路７は、計測したインターホン４の稼働時間が所定の動作時間、例えば３０分に達したか否かを判断する。このとき、タイマー回路７が、インターホン４の稼働時間が３０分に達したと判断した場合には、インターホン４に対して蓄電装置１から供給される電力を遮断する指令信号を電源遮断回路８へ送信する。そして、電源遮断回路８はタイマー回路７から当該指令信号を受信すると、電源遮断回路８のスイッチ手段がインターホン４に対してオン状態からオフ状態へ切替え、インターホン４に対して蓄電装置１から供給される電力を遮断する。一方、手順Ｓ１０６においてタイマー回路７が、インターホン４の稼働時間が３０分に達していないと判断した場合には、手順Ｓ１０６においてインターホン４に対する動作を繰り返し実行する。
【００３８】
次に、手順Ｓ１０７において蓄電装置１から停電灯５へ供給される電力が遮断された後、タイマー回路７は、計測したエレベーター監視装置３の稼働時間が所定の動作時間、例えば４０分に達したか否かを判断する（Ｓ１０８）。このとき、タイマー回路７が、エレベーター監視装置３の稼働時間が４０分に達したと判断した場合には、エレベーター監視装置３に対して蓄電装置１から供給される電力を遮断する指令信号を電源遮断回路８へ送信する。一方、手順Ｓ１０８においてタイマー回路７が、エレベーター監視装置３の稼働時間が４０分に達していないと判断した場合には、手順Ｓ１０８の動作を繰り返し実行する。
【００３９】
次に、電源遮断回路８はタイマー回路７から当該指令信号を受信すると、電源遮断回路８の動作継続判断手段が、蓄電装置１からエレベーター監視装置３へ供給される電力を遮断せずにエレベーター監視装置３が動作を継続する必要があるか否か、例えばエレベーター監視装置３が異常信号を外部へ送信している等の重要な動作を行っているか否かを判断する（Ｓ１０９）。
【００４０】
このとき、電源遮断回路８の動作継続判断手段が、エレベーター監視装置３が動作を継続する必要があると判断した場合には、電源遮断回路８の保留遮断手段がエレベーター監視装置３に対して蓄電装置１から供給される電力の遮断を保留し、手順Ｓ１０９の動作を繰り返し実行する。一方、手順Ｓ１０９において電源遮断回路８の動作継続判断手段が、エレベーター監視装置３が動作を継続する必要がないと判断した場合には、電源遮断回路８の保留遮断手段がエレベーター監視装置３に対して蓄電装置１から供給される電力を遮断し（Ｓ１１０）、本実施形態の動作を終了する。
【００４１】
このように構成した本実施形態によれば、手順Ｓ１０２において停電検出装置１０が停電を発生したことを検出した場合には、手順Ｓ１０３において電源遮断回路８のスイッチ手段がオフ状態からオン状態に切替り、蓄電装置１が充放電装置２によって制御部６を介してエレベーター監視装置３、インターホン４、停電灯５、及び停電時自動着床装置９へ電力を供給する。このとき、手順Ｓ１０４において制御部６のタイマー回路７は、これらのエレベーター監視装置３、インターホン４、及び停電灯５の各々に対して、蓄電装置１から供給される電力によって動作する稼働時間を計測し、手順Ｓ１０６及び手順Ｓ１０８において稼働時間が予め設定された所定の動作時間に達したか否かを判断する。そして、電源遮断回路８が、手順Ｓ１０７及び手順Ｓ１１０においてエレベーター監視装置３、インターホン４、及び停電灯５のうちタイマー回路７によって稼働時間が所定の動作時間に達したと判断された機器に対して、スイッチ手段におけるオン状態をオフ状態に切替えて蓄電装置１から供給される電力を遮断することにより、エレベーター監視装置３、インターホン４、及び停電灯５のうち所定の動作時間の間、稼働し続けた機器に対して電力が供給されなくなるので、蓄電装置１に蓄えられた電力が必要以上に消費されることを抑えることができる。
【００４２】
これにより、蓄電装置１に蓄えられた電力を効率良く利用することができるので、停電が発生した場合にエレベーター監視装置３、インターホン４、停電灯５、及び停電時自動着床装置９を十分に動作させることができ、蓄電装置１における信頼性を向上させることができる。また、例えば設置環境や使用年数による蓄電装置１の容量の低下を見込んで蓄電装置１の容量を予め過大な値に設定する必要がなくなるので、蓄電装置１の交換周期を長くすることができ、蓄電装置１の交換等のメンテナンス作業における効率を向上させることができる。
【００４３】
また、本実施形態は、手順Ｓ１０２において停電検出装置１０が買電電源の停電を検出しなかった場合に、充放電装置２が買電電源から供給される電力によって蓄電装置１を充電することにより、充放電装置２によって蓄電装置１の容量に対して十分な電力量が充電されるので、手順Ｓ１０２において停電検出装置１０が買電電源の停電を検出し、手順Ｓ１０３において充放電装置２が蓄電装置１の充電動作から放電動作へ切替えて蓄電装置１から制御部６へ電力を供給する際に、エレベーター監視装置３、インターホン４、停電灯５、及び停電時自動着床装置９へ多くの電力を迅速に供給することができる。これにより、手順Ｓ１０６及び手順Ｓ１０８においてエレベーター監視装置３、インターホン４、及び停電灯５の稼働時間が所定の動作時間に達する前に、蓄電装置１に蓄えられた電力が消費されて不足することを抑えることができる。また、停電からエレベーターが復旧した場合に、充放電装置２が蓄電装置１を再度充電することにより、停電によって消費された蓄電装置１の電力を早期に補充することができるので、再び停電が発生するまでに蓄電装置１において十分な電力量を確保することができる。
【００４４】
また、本実施形態は、手順Ｓ１０８においてタイマー回路７によってエレベーター監視装置３の稼働時間が所定の動作時間に達したと判断され、電源遮断回路８がエレベーター監視装置３に対して蓄電装置１から供給される電力を遮断する指令信号をタイマー回路７から受信すると、手順Ｓ１０９において電源遮断回路８の動作継続判断手段は、エレベーター監視装置３が動作を継続する必要があるか否かを判断する。そして、手順Ｓ１１０において電源遮断回路８の保留遮断手段が、動作継続判断手段によって動作を継続する必要があると判断されたエレベーター監視装置３に対して蓄電装置１から供給される電力の遮断を保留することにより、例えばエレベーター監視装置３が重要な動作をしている場合には、エレベーター監視装置３の動作を停止させずに継続することができる。一方、手順Ｓ１１０において電源遮断回路８の保留遮断手段が、動作継続判断手段によって動作を継続する必要がないと判断されたエレベーター監視装置３に対して蓄電装置１から供給される電力を遮断することにより、エレベーター監視装置３の動作の継続が必要ないことを確認した上でエレベーター監視装置３を停止することができる。このように、手順Ｓ１０２において停電が発生した場合に、エレベーター監視装置３における動作の継続の必要性に応じてエレベーター監視装置３を適切に動作させることができ、停電が発生してもエレベーター監視装置３の高い安定性を確保することができる。
【００４５】
なお、上述した本実施形態では、エレベーターに設けられた複数の機器が、エレベーター監視装置３、インターホン４、停電灯５、及び停電時自動着床装置９である場合について説明したが、この場合に限らず、停電が発生した場合に稼働させるものであれば、複数の機器はその他の装置であっても良い。
【００４６】
また、本実施形態は、エレベーターに設けられた複数の機器が、断続的に稼働されるものであれば、制御部６のタイマー回路７が、稼働時間の累積値を計測して、計測された累積値が予め設定された所定の動作時間に達するか否かを判断するようにしても良い。さらに、本実施形態は、タイマー回路７においてインターホン４及び停電灯５に対する所定の動作時間を３０分、エレベーター監視装置３に対する所定の動作時間を４０分とした場合について説明したが、この場合に限らず、これらの所定の動作時間は、インターホン４、停電灯５、及びエレベーター監視装置３の状況に応じてそれぞれ異なる別の値を用いても良い。
【符号の説明】
【００４７】
１  蓄電装置
２  充放電装置
３  エレベーター監視装置
４  インターホン
５  停電灯
６  制御部
７  タイマー回路
８  電源遮断回路
９  停電時自動着床装置
１０  停電検出装置
【図１】
0005595295.tif 000002
【図２】
0005595295.tif 000003